(57)【要約】【課題】小型の積層誘電体アンテナを提供する。【解決手段】第１の誘電体層11と、第１の誘電体層の上に積層された第２の誘電体層12と、第２の誘電体層12の上面に配された放射導体21と、第１の誘電体層11の下面に配された接地導体31と、第１および第２の誘電体層11・12の間に放射導体21の外周と対向するように配された水平導体32と、この水平導体32と接地導体31を接続する垂直導体33と、放射導体21に接続された給電導体とを具備する積層誘電体アンテナである。放射導体21の外周と対向するように配された水平導体32とでコンデンサが構成されることになり、コンデンサの容量がアンテナの共振周波数に寄与して、水平導体32および垂直導体33がない場合よりもアンテナの共振周波数を低くすることができるので、アンテナを小型化することができる。【選択図】  図１
2004208203.tif 000002
【特許請求の範囲】
【請求項１】
第１の誘電体層と、該第１の誘電体層の上に積層された第２の誘電体層と、該第２の誘電体層の上面に配された放射導体と、前記第１の誘電体層の下面に配された接地導体と、前記第１および第２の誘電体層の間に前記放射導体の外周と対向するように配された水平導体と、該水平導体と前記接地導体とを接続する垂直導体と、前記放射導体に接続された給電導体とを具備することを特徴とする積層誘電体アンテナ。
【請求項２】
前記放射導体が正方形状あるいは円形状であることを特徴とする請求項１記載の積層誘電体アンテナ。
【発明の詳細な説明】
【０００１】
【発明の属する技術分野】
本発明は、例えば携帯電話や無線ＬＡＮ等の無線通信機器、その他の各種通信機器等において使用される積層誘電体アンテナに関するものである。
【０００２】
【従来の技術】
例えば携帯電話や無線ＬＡＮ等の無線通信機器、その他の各種通信機器等において使用される従来の積層誘電体アンテナとしてパッチアンテナが知られている（例えば、非特許文献１、非特許文献２を参照）。その一例で小型化を目的とするものを、図５に斜視図で示す。図５において、111は誘電体層、121は誘電体層111の上面に配された放射導体、131は誘電体層111の下面に配された接地導体、132は誘電体層111の側面に接地導体131と接続されて配された垂直導体である。
【０００３】
この従来の積層誘電体アンテナでは、放射導体121の外周部に垂直導体132が近接されて配され、放射導体121の端と垂直導体132との間にコンデンサが構成されることになり、放射導体121に加えてコンデンサの容量がアンテナの共振に寄与するため、垂直導体132がない場合よりも共振周波数が低くなる。したがって、同じ周波数においては垂直導体132がない場合よりも長さの短い放射導体121でアンテナを共振させることができ、アンテナを小型化することができる。
【０００４】
また、別の例として円偏波の励振を目的とするものを図６に上面図で示す。図６において、121は誘電体層（図示せず）の上面に配された正方形状の放射導体、122は放射導体121の両端に接続されて配された縮退分離素子である。
【０００５】
この従来の積層誘電体アンテナでは、放射導体121の両端に配された縮退分離素子122によって電界の縮退が解け、円偏波を励振することができる。また、縮退分離素子122の幅Ｗを調整することで２周波の共振特性あるいは広帯域な周波数特性を得ることができる。
【０００６】
【特許文献１】
特開2001−111329号公報
【非特許文献１】
藤本京平、他著、「図解移動体通信用アンテナシステム」、総合電子出版社、1996年発行、ｐ．122〜127
【非特許文献２】
羽石操、他著、「小型・平面アンテナ」、電子情報通信学会、1996年発行、ｐ．142〜164
【０００７】
【発明が解決しようとする課題】
しかしながら、このような従来の積層誘電体アンテナで小型化を目的とするものにおいては、構成されるコンデンサの容量が、図５に示す放射導体121の端と垂直導体132との間隔Ｄによって支配されるため、より小型化の効果を得るにはその容量を増すために間隔Ｄを小さくするしか方法がなく、製造上は放射導体121と垂直導体132との短絡を回避するために、必要な間隔Ｄよりも大きな間隔を取らなければならない場合があるので、十分な小型化の効果を得ることができないという問題点があった。
【０００８】
また、このような従来の積層誘電体アンテナで円偏波の励振を目的とするものにおいては、円偏波を励振させるために放射導体121の両端に縮退分離素子122を配するため、縮退分離素子122に要する面積を必要とするのでアンテナの面積が広くなるという問題点があった。
【０００９】
本発明は上記問題点に鑑みて案出されたものであり、その目的は、小型の積層誘電体アンテナを提供することにある。
【００１０】
【課題を解決するための手段】
本発明の積層誘電体アンテナは、第１の誘電体層と、この第１の誘電体層の上に積層された第２の誘電体層と、この第２の誘電体層の上面に配された放射導体と、第１の誘電体層の下面に配された接地導体と、第１および第２の誘電体層の間に放射導体の外周と対向するように配された水平導体と、この水平導体と接地導体とを接続する垂直導体と、放射導体に接続された給電導体とを具備することを特徴とするものである。
【００１１】
本発明の積層誘電体アンテナによれば、放射導体の外周と対向するように配された水平導体との間でコンデンサが構成されることになり、このコンデンサの容量がアンテナの共振周波数に寄与して、水平導体および垂直導体がない場合よりもアンテナの共振周波数が低くなる。したがって、従来のアンテナのように放射導体の大きさを大きくして共振周波数を下げなくてもよいのでアンテナを小型化することができる。
【００１２】
また、本発明の積層誘電体アンテナによれば、放射導体の外周と対抗するように配された水平導体との間に構成されるコンデンサの容量が水平導体の面積に比例するため、より小型化の効果を得るためにその容量を増すには水平導体の面積を大きくすればよく、水平導体の面積を大きくすることによりさらに小型化することができる。
【００１３】
また、本発明の積層誘電体アンテナは、上記構成において、積層誘電体アンテナの放射導体が正方形状あるいは円形状であることを特徴とするものである。
【００１４】
本発明の積層誘電体アンテナによれば、放射導体が正方形状あるいは円形状であるときには、放射導体の中心から放射導体の外周の水平導体を配した方向に生じる電界モードの共振周波数が、それに直交する方向に生じる電界モードの共振周波数よりも低くなるので、円偏波励振の給電法の１点給電方式に対応した構造となり、このとき放射導体の外周と対向するように配された水平導体が縮退分離素子として働いて、この縮退分離素子によって電界の縮退が解け、円偏波を励振させることができる。また、水平導体の幅を調整することで２周波の共振特性あるいは広帯域な周波数特性を得ることができる。
【００１５】
また、本発明の積層誘電体アンテナによれば、円偏波を励振させるための縮退分離素子としての水平導体を放射導体とは異なる面に配するため、縮退分離素子が必要とする面積分だけ放射導体の面積を広げなくてよいので小型の円偏波アンテナとすることができ、また２周波の共振あるいは広帯域な周波数特性を有するアンテナを構成することができる。
【００１６】
【発明の実施の形態】
以下、本発明の積層誘電体アンテナを図面を参照しつつ説明する。
【００１７】
図１は本発明の積層誘電体アンテナの実施の形態の一例を示す斜視図である。
図１において11は第１の誘電体層、12は第１の誘電体層11の上に積層された第２の誘電体層、21は第２の誘電体層12の上面に配された放射導体、31は第１の誘電体層11の下面に配された接地導体、32は第１および第２の誘電体層11・12の間に放射導体21の外周と対向するように配された水平導体、33は水平導体32と接地導体31とを接続する垂直導体である。また、給電導体（図示せず）は接地導体31に設けた開口部（図示せず）から第１および第２の誘電体層11・12を貫通して放射導体21に接続した構造となる。
【００１８】
図１のように構成された本発明の積層誘電体アンテナによれば、放射導体21のＸ方向（図１では紙面の左右方向）の両端の外周部分と水平導体32とが対向するように配されてコンデンサが構成されることになり、このコンデンサの容量が放射導体21の外周部と接地導体31との間に構成されるコンデンサに加わってアンテナの共振に寄与するため、水平導体32および垂直導体33がない場合よりも共振周波数が低くなる。したがって、同じ周波数においては水平導体32および垂直導体33がない場合よりも放射導体21の長さＬの短い放射導体21でアンテナを共振させることができ、従来のアンテナのように放射導体21の大きさを大きくしてアンテナの共振周波数を下げなくてもよいのでアンテナを小型化することができる。
【００１９】
また、図１のように構成された本発明の積層誘電体アンテナによれば、放射導体21の外周と対抗するように配された水平導体32との間に構成されるコンデンサの容量が水平導体32の面積に比例するため、より小型化の効果を得るためにその容量を増すには、例えば水平導体32の幅Ｗを長くして、水平導体32の面積を大きくすればよく、面積を大きくすることによりさらに小型化することができる。放射導体21と接地導体31あるいは水平導体32間に生じる電界は放射導体21の外周部が強く、外周部に水平導体32を配した方がより小さい面積で小型化の効果を得ることができる。また、水平導体32を放射導体21と接地導体31の間に配するとともに放射導体21と接地導体31との距離を取ることにより、電磁波が接地導体31に吸収されにくくなることから周波数帯域の狭帯域化を防ぐことができる。
【００２０】
本発明の積層誘電体アンテナの他の例は、図１において放射導体21が正方形状あるいは円形状であることを特徴とする。図１の放射導体21が正方形状である場合の本発明の積層誘電体アンテナの他の例を、以下、図１により説明する。
【００２１】
図１のように構成された本発明の積層誘電体アンテナの他の例によれば、放射導体21の外周と対向するように配された水平導体32が縮退分離素子として働き、この水平導体32によって電界の縮退が放射導体21の中心から放射導体21の外周の水平導体32を配した方向（Ｘ方向）に生じる電界モードと、それに直交する放射導体21の中心から放射導体21の外周の水平導体32を配さない方向（Ｙ方向、図１では奥行き方向）に生じる電界モードに分離され、円偏波励振の給電法の１点給電方式に対応した構造となるので円偏波を励振させることができる。また、水平導体32の幅Ｗを調整することで分離された２周波の共振特性すなわち共振周波数の隔たりのある２つの周波数帯に対応した特性をあるいは共振周波数の隔たりを近接させて２つの周波数帯を合成させることができるので広帯域な周波数特性を得ることができる。
【００２２】
また、図１のように構成された本発明の積層誘電体アンテナの他の例によれば、円偏波を励振させるための縮退分離素子としての水平導体32を放射導体21とは異なる面に配するため、同一面に縮退分離素子を配した場合に正方形状の放射導体21の両端に、縮退分離素子が必要とする面積分だけ放射導体21の面積を広げなくてよいので小型の円偏波アンテナあるいは２周波共振特性あるいは広帯域な周波数特性を有するアンテナを構成することができる。
【００２３】
ここで、放射導体21は正方形状であることが重要である。放射導体21が正方形状の場合、図１のＸ方向およびＹ方向に同一共振周波数の電界モードを持つことができ、更に水平導体32が縮退分離素子として機能するために１点給電方式でも縮退が解けて円偏波を励振することができる。これに対して、水平導体32および垂直導体33がないいわゆる通常のパッチアンテナでは両方向の電界モードの対応波長は正方形状で各辺の長さが等しいため、１点給電方式では縮退が解けず、円偏波を励振することができない。
【００２４】
１点給電方式で円偏波を励振するためには縮退分離素子が必要で、図６に示す従来例のように放射導体121の両端に縮退分離素子122を設けると円偏波を励振することができるが、元の正方形に比べ面積が増してしまう。この際、図６中のＸ方向の放射導体121と縮退分離素子122を合わせた長さがＬ＋２Ｗとなり、Ｙ方向の長さＬに対し長くなるのでＸ方向は電界モードが長い波長、すなわち低周波側の共振モードとなり、Ｙ方向の放射導体121の長さがＬとなり、Ｘ方向の長さＬ＋２Ｗに対し短くなるのでＹ方向は電界モードが短い波長、すなわち高周波側の共振モードとなり、Ｘ方向とＹ方向とで波長のわずかに異なりかつ直交するモードに対応した放射導体構造となるので１点給電方式の円偏波励振をすることができる。
【００２５】
図１に示す本発明の積層誘電体アンテナの他の例では、放射導体21のＸ方向の外周と対向するように１対の水平導体32が配され、放射導体21の端部と水平導体32との間に容量が形成されるためＸ方向の電界モードは共振周波数が低くなって、Ｘ方向の電界モードの方がＹ方向よりも長い波長に対応し、先に示した従来例と同様にＸ方向の電界モードが長い波長、すなわち低周波側の共振モード、Ｙ方向の電界モードが短い波長、すなわち高周波側の共振モードとなり波長のわずかに異なりかつ直交するモードに対応した放射導体構造となるので１点給電方式の円偏波励振をすることができる。この際、従来例と比べ、縮退分離素子を放射導体21の両端部に配していないので同じ円偏波励振構造をとりながらも小型にできるので、小型化の観点から放射導体21は正方形状であることが重要である。
【００２６】
本発明の積層誘電体アンテナの他の例は、放射導体21が円形状であってもよい。図２は、本発明の積層誘電体アンテナの他の例の放射導体21が円形状である実施の形態の一例を示す斜視図であり、11は第１の誘電体層、12は第１の誘電体層11の上に積層された第２の誘電体層、21は第２の誘電体層12の上面に配された円形状の放射導体、31は第１の誘電体層11の下面に配された接地導体、32は第１および第２の誘電体層11・12の間に放射導体21の外周と対向するように配された水平導体、33は水平導体32と接地導体31とを接続する垂直導体である。また、給電導体（図示せず）は接地導体31に設けた開口部（図示せず）から第１および第２の誘電体層11・12を貫通して放射導体21に接続した構造となる。なお、分かりやすくするために、図１の構成の該当する部分と同じ符号を付している。
【００２７】
図２に示すように、第１および第２の誘電体層11・12が円筒形状である場合、放射導体21が正方形状の場合よりも円形状の場合の方が円筒の端面に広く放射導体21を配することができ、放射効率を高めることができる。
【００２８】
ここで、放射導体21は円形状であることが重要である。正方形状である場合と同様に１点給電方式で円偏波を励振するためには放射導体21の両端に縮退分離素子を設け、放射導体21を楕円形状にするなどの手法があるが、この際も同様に円形状の場合に比べ面積が増してしまう。本発明の積層誘電体アンテナの他の例では、図２に示すように円形状の放射導体21の外周と対向するように１対の三日月形状の水平導体32を設けると、面積を増すことなく１点給電方式で円偏波を励振することができるので小型化の観点から放射導体21は円形状であることが重要である。
【００２９】
なお、本発明の実施の形態の例に限定されるものではなく、例えば図１の直方体状の誘電体11・12の上面に配された正方形状の放射導体21を円形状の放射導体21に置き換えてもよい。
【００３０】
本発明の積層誘電体アンテナを形成するに当たり、第１および第２の誘電体層11・12、放射導体21、接地導体31、水平導体32、垂直導体33、給電導体には、周知の高周波用配線基板に使用される種々の材料・形態のものと同様のものを使用することができる。
【００３１】
第１および第２の誘電体層11・12としては、例えばアルミナセラミックス・ムライトセラミックス等のセラミック材料やガラスセラミックス等の無機系材料、あるいは四フッ化エチレン−エチレン樹脂（ポリテトラフルオロエチレン；ＰＴＦＥ）・四フッ化エチレン−エチレン共重合樹脂（テトラフルオロエチレン−エチレン共重合樹脂；ＥＴＦＥ）・四フッ化エチレン−パーフルオロアルコキシエチレン共重合樹脂（テトラフルオロエチレン−パーフルオロアルキルビニルエーテル共重合樹脂；ＰＦＡ）等のフッ素樹脂やガラスエポキシ樹脂・ポリイミド等の樹脂系材料等が用いられる。これらの材料による第１および第２の誘電体層11・12の形状や寸法（厚みや幅・長さ）は、使用される周波数や用途等に応じて設定される。
【００３２】
放射導体21、接地導体31、水平導体32、垂直導体33、給電導体は、高周波信号伝送用の金属材料の導体層、例えばＣｕ層・Ｍｏ−Ｍｎのメタライズ層上にＮｉメッキ層およびＡｕメッキ層を被着させたもの・Ｗのメタライズ層上にＮｉメッキ層およびＡｕメッキ層を被着させたもの・Ｃｒ−Ｃｕ合金層・Ｃｒ−Ｃｕ合金層上にＮｉメッキ層およびＡｕメッキ層を被着させたもの・Ｔａ2Ｎ層上にＮｉ−Ｃｒ合金層およびＡｕメッキ層を被着させたもの・Ｔｉ層上にＰｔ層およびＡｕメッキ層を被着させたもの、またはＮｉ−Ｃｒ合金層上にＰｔ層およびＡｕメッキ層を被着させたもの等を用いて、厚膜印刷法あるいは各種の薄膜形成方法やメッキ法等により形成される。その厚みや幅等も、伝送される高周波信号の周波数や用途等に応じて設定される。
【００３３】
本発明の積層誘電体アンテナの作製方法としては、例えば第１および第２の誘電体層11・12がガラスセラミックスから成る場合であれば、まず第１および第２の誘電体11・12となるガラスセラミックスのグリーンシートを準備し、これに所定の打ち抜き加工を施して、垂直導体33および給電導体が貫通導体の場合、貫通導体が配設される貫通孔を形成した後、スクリーン印刷法によりＣｕ等の導体ペーストを貫通孔に充填するとともに、放射導体21、接地導体31、水平導体32、給電導体となる導体層のパターンおよび必要に応じてその他の所定の伝送線路パターン、例えば垂直導体33を貫通導体で形成しない場合は垂直導体33などを印刷塗布する。次に、850〜1000℃で焼成を行ない、最後に各導体層の表面にＮｉメッキおよびＡｕメッキを施す。
【００３４】
図３は図１に示す本発明の積層誘電体アンテナの実施の形態についての反射特性を示す線図である。図３において、横軸は周波数（単位：ＧＨｚ）、縦軸は給電導体（図示せず）を接地導体31に設けた開口部（図示せず）より第１および第２の誘電体層11・12を貫通して放射導体21に接続し、接地導体31に設けた開口部の給電導体に電磁界を給電して計測したＶＳＷＲであり、特性曲線は反射特性、すなわちＶＳＷＲの周波数特性を示している。この線図に示す反射特性は、電磁界シミュレーションを用いて得たものである。この結果より、4.80ＧＨｚで共振していることが分かる。なお、図３に示す反射特性を得た本発明の積層誘電体アンテナにおいては、第１および第２の誘電体層11・12の厚みを0.5ｍｍ、すなわち誘電体層の総厚みが１ｍｍ、放射導体21の長さ：Ｌを9.25ｍｍ、放射導体21と垂直導体32とのＸ方向の間隔：Ｄを0.875ｍｍ、水平導体32を図のＸ方向の両側に１対配置し、その幅：Ｗを１ｍｍ、給電導体（図示せず）を接地導体31に設けた開口部（図示せず）から第１および第２の誘電体層11・12を貫通して放射導体21の中心よりＸ方向に１ｍｍずらした位置に配した構造とした。この本発明の積層誘電体アンテナと同じ構造・材料で水平導体32および垂直導体33のないものでは共振周波数が5.25ＧＨｚであり、本発明の積層誘電体アンテナでは共振周波数が450ＭＨｚ低くなっている。すなわちこれは、共振周波数を5.25ＧＨｚとして本発明の積層誘電体アンテナを構成する場合、この周波数が低くなった分だけ放射導体21の長さＬを短くすることができ、アンテナを小型化することができることを示す。
【００３５】
また、図５に示す従来の積層誘電体アンテナでこのような共振周波数の低周波化、すなわちアンテナの小型化を達成することは困難であった。
【００３６】
図７は図５に示す従来の積層誘電体アンテナの例についての反射特性を示す線図である。図７においても、横軸は周波数（単位：ＧＨｚ）、縦軸は給電導体（図示せず）を接地導体131に設けた開口部（図示せず）より誘電体層131を貫通して放射導体121に接続し、接地導体に設けた開口部の宮殿導体に電磁界を給電して計測したＶＳＷＲであり、特性曲線は反射特性、すなわちＶＳＷＲの周波数特性を示している。この線図に示す反射特性は、図３に示した結果を得るのに使用したものと同一の電磁界シミュレーションを用いて得たものである。この結果より、5.16ＧＨｚで共振していることが分かる。なお、図７に示す反射特性を得た従来の積層誘電体アンテナにおいては、誘電体層111の厚みを1ｍｍ、放射導体121の長さ：Ｌを9.25ｍｍ、放射導体121と垂直導体132とのＸ方向の間隔：Ｄを0.875mm、給電導体（図示せず）を接地導体131に設けた開口部（図示せず）から誘電体層111を貫通して放射導体121の中心よりＸ方向に１ｍｍずらした位置に配した構造とし、誘電体層111の材料および放射導体121・接地導体131・垂直導体132・給電導体の材料は、上記本発明の積層誘電体アンテナと同一である。すなわち、従来の積層誘電体アンテナと本発明の積層誘電体アンテナとでは、水平導体・垂直導体の他は同一である。この従来の積層誘電体アンテナと同じ構造・材料で垂直導体132のないものは、前記のとおり共振周波数が5.25ＧＨｚであり、従来の積層誘電体アンテナでは共振周波数が90ＭＨｚ低くなっているが、本発明の積層誘電体アンテナの4.80ＧＨｚよりは360ＭＨｚ高い共振周波数となる。
【００３７】
以上より、図３に結果を示す本発明の積層誘電体アンテナでは共振周波数が450ＭＨｚ低くなるのに対して、図７の結果を得た従来の積層誘電体アンテナでは90ＭＨｚしか低くならず、本発明の積層誘電体アンテナの方がより低周波化されていることが分かる。これは、同じ周波数でアンテナを構成する場合、本発明の積層誘電体アンテナの方が長さの短い放射導体で共振させることができ、アンテナを小型化することができることを示す。
【００３８】
図４は本発明の積層誘電体アンテナの他の例の実施の形態についての反射特性を示す線図である。図４においても、横軸は周波数（単位：ＧＨｚ）、縦軸は給電導体（図示せず）を接地導体31に設けた開口部（図示せず）より第１および第２の誘電体層11・12を貫通して放射導体21に接続し、接地導体31に設けた開口部の給電導体に電磁界を給電して計測したＶＳＷＲであり、特性曲線は反射特性、すなわちＶＳＷＲの周波数特性を示している。この線図に示す反射特性は、図３および図７に示した結果を得るのに使用したものと同一の電磁界シミュレーションを用いて得たものである。なお、図４に示す反射特性を得た本発明の積層誘電体アンテナの他の例においては、図３に示す反射特性を得た図１に示す構造と同じで、放射導体21を１辺の長さ：Ｌが9.25mmの正方形、給電導体（図１に図示せず）を接地導体31に設けた開口部（図１に図示せず）から第１および第２の誘電体層11・12を貫通して放射導体21の中心よりＸ方向に１ｍｍ、Ｙ方向（図１では奥行き方向）に１ｍｍずらした位置に配した構造とした。
【００３９】
この結果、放射導体21を正方形状にすることにより図４に示すような２周波が合成された広帯域特性を示す反射特性が得られていることが分かる。また、反射特性を得るのに使用したのと同様の電磁界シミュレーションを用いた結果、２つの共振周波数の中心点の5.22ＧＨｚでの円偏波利得が5.8ｄＢｉ得られたことから円偏波特性も示していることが分かる。したがって、本発明の積層誘電体アンテナでは図６に示す従来の円偏波の励振を目的とした積層誘電体アンテナに比べ、放射導体121の両端に縮退分離素子122を設ける必要がないためアンテナの放射導体部分の面積が小さくて済み、アンテナを小型化することができる。
【００４０】
なお、本発明は以上の実施の形態の例に限定されるものではなく、本発明の要旨を逸脱しない範囲で種々の変更が可能である。例えば、水平導体をＹ方向にもう１対配してもよく、そのような構成にするとより小型化することができる。また、図１では放射導体を四角形としているが、角に丸みを持たせた形状にしたり、楕円形にしたりしてもよい。図１に示す第１および第２の誘電体層11・12は通常は直方体形状であるが、角や稜線に丸みを持たせたりしてもよい。
【００４１】
【発明の効果】
本発明の積層誘電体アンテナによれば、第１の誘電体層と、この第１の誘電体層の上に積層された第２の誘電体層と、この第２の誘電体層の上面に配された放射導体と、第１の誘電体層の下面に配された接地導体と、第１および第２の誘電体層の間に放射導体の外周と対向するように配された水平導体と、この水平導体と接地導体とを接続する垂直導体と、放射導体に接続された給電導体とを具備したことから、放射導体の外周と対向するように配された水平導体との間でコンデンサが構成されることになり、このコンデンサの容量がアンテナの共振周波数に寄与して、水平導体および垂直導体がない場合よりもアンテナの共振周波数が低くなる。したがって、従来のアンテナのように放射導体の大きさを大きくして共振周波数を下げなくてもよいのでアンテナを小型化することができる。
【００４２】
また、本発明の積層誘電体アンテナによれば、放射導体の外周と対抗するように配された水平導体との間に構成されるコンデンサの容量が水平導体の面積に比例するため、より小型化の効果を得るためにその容量を増すには水平導体の面積を大きくすればよく、水平導体の面積を大きくすることによりさらに小型化することができる。
【００４３】
本発明の積層誘電体アンテナの他の例によれば、上記構成において、積層誘電体アンテナの放射導体が正方形状あるいは円形状であるときには、放射導体の中心から放射導体の外周の水平導体を配した方向に生じる電界モードの共振周波数とそれに直交する方向に同一共振周波数の電界モードを持つことができ、放射導体の外周と対向するように配された水平導体が縮退分離素子として働いて、この水平導体によって電界の縮退が解け、円偏波励振を１点給電方式で実現させることができる。また、水平導体の幅を調整することで２周波の共振特性あるいは広帯域な周波数特性を得ることができる。
【００４４】
また、本発明の積層誘電体アンテナの他の例によれば、円偏波を励振させるための縮退分離素子としての水平導体を放射導体とは異なる面に配するため、縮退分離素子が必要とする面積分だけ放射導体の面積を広げなくてよいので小型の円偏波アンテナとすることができ、また２周波の共振あるいは広帯域な周波数特性を有するアンテナを構成することができる。
【００４５】
以上により、本発明によれば、小型の積層誘電体アンテナを提供することができた。
【図面の簡単な説明】
【図１】本発明の積層誘電体アンテナの実施の形態の一例を示す斜視図である。
【図２】本発明の積層誘電体アンテナの実施の形態の他の例を示す斜視図である。
【図３】本発明の積層誘電体アンテナの反射特性を示す線図である。
【図４】本発明の積層誘電体アンテナの他の例の反射特性を示す線図である。
【図５】従来の積層誘電体アンテナの例を示す斜視図である。
【図６】従来の積層誘電体アンテナの例を示す上面図である。
【図７】従来の積層誘電体アンテナの例の反射特性を示す線図である。
【符号の説明】
11・・・第１の誘電体層
12・・・第２の誘電体層
21・・・放射導体
31・・・接地導体
32・・・水平導体
33・・・垂直導体
【図１】
2004208203.tif 000003
【図２】
2004208203.tif 000004
【図３】
2004208203.tif 000005
【図４】
2004208203.tif 000006
【図５】
2004208203.tif 000007
【図６】
2004208203.tif 000008
【図７】
2004208203.tif 000009